(57)【特許請求の範囲】
【請求項１】
セカンダリネットワークにおける沈黙期間管理のための方法であって、
フレーム内センシング（ＩＲＦＳ）情報およびフレーム間センシング（ＩＦＳ）情報を共存マネージャから受信することと、
前記受信情報に基づき、アクセスポイント（ＡＰ）とコンポーネントとの間のアクティブチャネル上の専用アクセスに対してＩＲＦＳ間隔を割り当てることと、
前記アクティブチャネルの状態についての前記ＩＲＦＳからの累積報告に基づいて、複数の連続したフレームにわたってＩＦＳ間隔をスケジュールすることと、
前記受信情報に基づき、複数のＡＰと、対応するコンポーネントとの間の複数のチャネル上の競合アクセスに対して前記ＩＦＳ間隔を割り当てることとを含む、方法。
【請求項２】
ＩＲＦＳ間隔中に各ＡＰにそのデータ伝送の意図をブロードキャストさせることをさらに含む、請求項１に記載の方法。
【請求項３】
アクセス情報を各ＡＰから前記対応するコンポーネントへ通信するために一意のアクセス要求パケット（ＡＲＰ）を用いることをさらに含む、請求項２に記載の方法。
【請求項４】
前記ＡＲＰは、ＡＲＰ作成の時間を示すタイムスタンプ、チャネルを指定するスーパーフレーム番号および所望のアクセスに対するスーパーフレーム番号、前記スーパーフレーム番号によって定められるスーパーフレーム内のフレームを指定するフレーム番号、ならびに、ブロードキャストしているＡＰによって所望されるアクセスの継続期間を定めるアクセス継続期間のセットから、少なくとも１つを含む、請求項３に記載の方法。
【請求項５】
前記ＩＲＦＳ中、前記スーパーフレーム内の同じフレーム上の最も早いタイムスタンプを有する要求しているＡＰに対して、利用可能なチャネルへの専用アクセスを可能にすることをさらに含む、請求項４に記載の方法。
【請求項６】
前記ＡＲＰにおける前記アクセス継続期間が前記ＩＲＦＳ間隔より短い場合、前記ＩＲＦＳ中、前記スーパーフレーム内の同じフレーム上の２番目に早いタイムスタンプを有する要求しているＡＰに対して、利用可能なチャネルへのアクセスを可能にすることをさらに含む、請求項４に記載の方法。
【請求項７】
前記チャネルはテレビホワイトスペース内にある、請求項１に記載の方法。
【請求項８】
前記ＩＲＦＳ情報および前記ＩＦＳ情報は、無線地域ネットワーク（ＷＲＡＮ）のコグニティブ基地局によるブロードキャストから検出される、請求項１に記載の方法。
【請求項９】
前記ＩＲＦＳ情報および前記ＩＦＳ情報は、１つまたは複数の共存無線ネットワークにおける複数のＡＰに前記共存マネージャによって送信される、請求項１に記載の方法。
【請求項１０】
利用可能なチャネルを使用する前に、２つ以上のＡＰによってアドホック無線ネットワークを形成することをさらに含む、請求項１に記載の方法。
【請求項１１】
前記アドホック無線ネットワークは緊急用アドホックネットワークである、請求項１０に記載の方法。
【請求項１２】
利用可能なチャネルを使用して、マルチメディアデータ、ストリーミングビデオデータおよび／またはストリーミングオーディオデータのうちの１つを送信することをさらに含む、請求項１に記載の方法。
【請求項１３】
別のセカンダリユーザネットワークの沈黙期間に動作可能な共存無線ネットワークアクセスポイントであって、
無線通信モジュールと、
命令を格納するように構成されたメモリと、
前記メモリに結合されたプロセッサとを含み、前記プロセッサは前記命令を実行するように適合され、前記命令は、実行される時、前記プロセッサを、
フレーム内センシング（ＩＲＦＳ）情報およびフレーム間センシング（ＩＦＳ）情報を共存マネージャから受信することと、
一意のアクセス要求パケット（ＡＲＰ）を用いてＩＲＦＳ間隔中にデータ伝送の意図をブロードキャストすることと、
少なくとも１つのアクセスポイント（ＡＰ）の伝送範囲内で前記ＩＲＦＳ情報および前記ＩＦＳ情報を共有することと、
前記ＡＲＰに含まれるタイムスタンプがブロードキャストのタイムスタンプの中で最も早い場合、前記受信情報に基づき、アクティブチャネル上の専用アクセスを受信してコンポーネントと通信することとを行うように構成する、アクセスポイント。
【請求項１４】
前記ＡＲＰは、ＡＲＰ作成の時間を示すタイムスタンプ、チャネルを指定するスーパーフレーム番号および所望のアクセスに対するスーパーフレーム番号、前記スーパーフレーム番号によって定められるスーパーフレーム内のフレームを指定するフレーム番号、ならびに、ブロードキャストしている前記少なくとも１つのＡＰによって所望されるアクセスの継続期間を定めるアクセス継続期間のセットから、少なくとも１つを含む、請求項１３に記載のアクセスポイント。
【請求項１５】
前記プロセッサは、利用可能なチャネルを使用する前に、前記少なくとも１つのＡＰを有するアドホック無線ネットワークを形成するようにさらに構成される、請求項１３に記載のアクセスポイント。
【請求項１６】
前記プロセッサは、前記アクティブチャネルを使用して１つまたは複数のコンポーネントと、マルチメディアデータ、ストリーミングビデオデータおよび／またはストリーミングオーディオデータのうちの１つをやり取りするようにさらに構成される、請求項１３に記載のアクセスポイント。
【請求項１７】
前記プロセッサは、前記共存マネージャから前記ＩＲＦＳ情報および前記ＩＦＳ情報についての定期的な更新を受信するようにさらに構成される、請求項１３に記載のアクセスポイント。
【請求項１８】
前記ＩＲＦＳ情報および前記ＩＦＳ情報を、セカンダリユーザとしてＴＶホワイトスペースを使用して少なくとも１つの無線地域ネットワーク（ＷＲＡＮ）の１つまたは複数のコグニティブ基地局によるブロードキャストから、前記共存マネージャによって検出する、請求項１３に記載のアクセスポイント。
【請求項１９】
前記アクセスポイントは、ＩＥＥＥ８０２．１１ａｆの無線ネットワークの一部である、請求項１３に記載のアクセスポイント。
【請求項２０】
前記共存マネージャは、ＩＥＥＥ８０２．１９．１の無線共存ネットワークの一部である、請求項１３に記載のアクセスポイント。
【請求項２１】
別の無線ネットワークの沈黙期間に動作可能な共存緊急用アドホック無線ネットワークであって、
セカンダリユーザとしてＴＶホワイトスペースを使用して少なくとも１つの無線地域ネットワーク（ＷＲＡＮ）の１つまたは複数のコグニティブ基地局によるブロードキャストから、フレーム内センシング（ＩＲＦＳ）情報およびフレーム間センシング（ＩＦＳ）情報を検出することと、
前記ＩＲＦＳ情報および前記ＩＦＳ情報を共存緊急用アドホックネットワークの複数のアクセスポイント（ＡＰ）に送信することと、
前記共存緊急用アドホックネットワークの伝送範囲内で前記ＩＲＦＳ情報および前記ＩＦＳ情報を共有することと
を行うように適合された共存マネージャと、
前記ＩＲＦＳ情報および前記ＩＦＳ情報を前記共存マネージャから受信することと、
一意のアクセス要求パケット（ＡＲＰ）を用いてＩＲＦＳ間隔中にデータ伝送の意図をブロードキャストすることと
を行うように適合された共存緊急用アドホックネットワークのＡＰとを含む、ネットワーク。
【請求項２２】
前記共存マネージャは、
前記ＩＲＦＳ情報および前記ＡＲＰに基づき、アクティブチャネル上の専用アクセスに対するＩＲＦＳ間隔を前記ＡＰに割り当てることと、
前記ＩＦＳ情報および前記ブロードキャストＡＲＰに基づき、複数のコンポーネント間の複数のチャネル上の競合アクセスに対してＩＦＳ間隔を割り当てることとを行うようにさらに適合される、請求項２１に記載のネットワーク。
【請求項２３】
前記ＡＲＰは、ＡＲＰ作成の時間を示すタイムスタンプ、チャネルを指定するスーパーフレーム番号および所望のアクセスに対するスーパーフレーム番号、前記スーパーフレーム番号によって定められるスーパーフレーム内のフレームを指定するフレーム番号、ならびに、ブロードキャストしているＡＰによって所望されるアクセスの継続期間を定めるアクセス継続期間のセットから、少なくとも１つを含む、請求項２２に記載のネットワーク。
【請求項２４】
前記共存マネージャは、前記ＡＲＰ内の前記タイムスタンプが、前記ＩＲＦＳ中、前記スーパーフレーム内の同じフレーム上の最も早いタイムスタンプである場合、前記ＡＰに対して前記アクティブチャネルへの専用アクセスを可能にするようにさらに適合される、請求項２３に記載のネットワーク。
【請求項２５】
前記ＩＲＦＳ間隔は約１０ｍｓ未満であり、前記ＩＦＳ間隔は約１０ｍｓと約５０ｍｓとの間である、請求項２２に記載のネットワーク。
【請求項２６】
前記ＩＲＦＳ情報および前記ＩＦＳ情報は、沈黙期間になるまでの時間（ＴＴＱＰ）、ＩＦＳ間隔およびＩＲＦＳ間隔に対する沈黙期間までの継続期間（ＤＱＰ）、ＩＲＦＳ周期オフセット、ＩＲＦＳ周期フレームビットマップ、および／または、ＩＲＦＳに対するＩＲＦＳ継続期間のセットから、少なくとも１つを含む、請求項２１に記載のネットワーク。
【請求項２７】
セカンダリネットワークにおける沈黙期間管理の方法のための、命令を格納したコンピュータ可読メモリデバイスであって、前記方法は、
フレーム内センシング（ＩＲＦＳ）情報およびフレーム間センシング（ＩＦＳ）情報を共存マネージャから受信することと、
ＩＲＦＳ間隔中に１つまたは複数のアクセスポイント（ＡＰ）におけるそれらのデータ伝送の意図のブロードキャストを検出することと、
前記受信したＩＲＦＳ情報およびＡＰのブロードキャストにおける１つまたは複数のパラメータに基づき、前記ＡＰとコンポーネントとの間のアクティブチャネル上の専用アクセスに対してＩＲＦＳ間隔を割り当てることと、
前記アクティブチャネルの状態についての前記ＩＲＦＳからの累積報告に基づいて、複数の連続したフレームにわたってＩＦＳ間隔をスケジュールすることと、
前記受信したＩＦＳ情報に基づき、複数のＡＰと、対応するコンポーネントとの間の複数のチャネル上の競合アクセスに対して前記ＩＦＳ間隔を割り当てることと、
前記複数のＡＰの伝送範囲で前記ＩＲＦＳ間隔および前記ＩＦＳ間隔を共有することと
を含む、コンピュータ可読メモリデバイス。
【請求項２８】
前記ＡＰは、ＡＲＰ作成の時間を示すタイムスタンプ、チャネルを指定するスーパーフレーム番号および所望のアクセスに対するスーパーフレーム番号、前記スーパーフレーム番号によって定められるスーパーフレーム内のフレームを指定するフレーム番号、ならびに、ブロードキャストしているＡＰによって所望されるアクセスの継続期間を定めるアクセス継続期間のセットからの少なくとも１つを含む一意のアクセス要求パケット（ＡＲＰ）を用いて、それらのデータ伝送の意図をブロードキャストする、請求項２７に記載のコンピュータ可読メモリデバイス。
【請求項２９】
前記方法は、前記ＩＲＦＳ中、前記スーパーフレーム内の同じフレーム上の最も早いタイムスタンプを有する要求しているＡＰに対して、前記アクティブチャネルへの専用アクセスを可能にすることをさらに含む、請求項２８に記載のコンピュータ可読メモリデバイス。
【請求項３０】
前記方法は、前記ＡＲＰにおける前記アクセス継続期間が前記ＩＲＦＳ間隔より短い場合、前記ＩＲＦＳ中、前記スーパーフレーム内の同じフレーム上の２番目に早いタイムスタンプを有する要求しているＡＰに対して、前記アクティブチャネルへのアクセスを可能にすることをさらに含む、請求項２８に記載のコンピュータ可読メモリデバイス。
【請求項３１】
前記チャネルはテレビホワイトスペース内にあり、前記ＩＲＦＳ情報および前記ＩＦＳ情報は、無線地域ネットワーク（ＷＲＡＮ）のコグニティブ基地局によるブロードキャストから検出される、請求項２７に記載のコンピュータ可読メモリデバイス。
【請求項３２】
２つ以上のＡＰは、利用可能なチャネル上で、マルチメディアデータ、ストリーミングビデオデータおよび／またはストリーミングオーディオデータのうちの１つをやり取りするためのアドホック緊急用無線ネットワークを形成する、請求項２７に記載のコンピュータ可読メモリデバイス。
【請求項３３】
前記方法は、前記ＡＰに対して前記ＩＲＦＳ情報および前記ＩＦＳ情報についての定期的な更新をブロードキャストすることをさらに含む、請求項２７に記載のコンピュータ可読メモリデバイス。
【請求項３４】
多重アクセス衝突回避を用いて、割り当てられたＩＦＳ間隔における前記アクティブチャネルへのアクセスを、競合するコンポーネントに提供する、請求項２７に記載のコンピュータ可読メモリデバイス。
【発明の詳細な説明】
【背景技術】
【０００１】
本明細書で別段指示されない限り、本項に記載される資料は本出願における特許請求の範囲の先行技術ではなく、本項に含まれることにより先行技術であると認められるものではない。
【０００２】
デジタルテレビ（ＤＴＶ）への段階的移行ならびに効率的な音声および映像圧縮技法の発達に伴い、相当量の未使用のチャネルが、ＴＶホワイトスペース（ＴＶＷＳ）と総称されるテレビスペクトル（ＶＨＦ帯およびＵＨＦ帯）において生成されている。ＴＶホワイトスペースは、（エリア内のアクティブなテレビ放送局、およびそれらの放送局がいつブロードキャストするかに基づき）位置および時間に依存する。
【０００３】
一方、無線技術は、個人使用および商用などといったあらゆる面で急増している。ホームコンピュータネットワーク（例えば、無線ローカルエリアネットワーク「ＷＬＡＮ」）から無線センサネットワーク、無線地域ネットワーク（ＷＲＡＮ）まで、ますます多くのデバイスおよびシステムが利用し、無線スペクトルを必要としている。無線周波数（ＲＦ）スペクトルは本質的に限定されるため、無線通信の効率を高める試みには、ＲＦスペクトルの既存の専用部分に対するさまざまな共有方式が含まれる。例えば、ＴＶＷＳを対象とした標準化活動は、ＷＲＡＮに対するＩＥＥＥ８０２．２２、アドホックネットワークをもたらすパーソナル／ポータブルデバイスに対するＩＥＥＥ８０２．１１ａｆ、およびＴＶＷＳにおける共存のサポートに対するＩＥＥＥ８０２．１９．１タスクグループ（ＴＧ）の取り組みを含む。
【発明の概要】
【発明が解決しようとする課題】
【０００４】
本開示において、特にＴＶＷＳ向けの既存のスペクトル共有技術にはいくつかの制限があることが認識される。例えば、日和見主義的な（opportunistic）セカンダリユーザネットワークによる可能性のある利用に対して、時間と空間にわたって予見不可能なこれらのホワイトスペースを検出することは、困難な課題である。
【課題を解決するための手段】
【０００５】
いくつかの実施例に従って、本開示は、セカンダリネットワークにおける沈黙期間管理のための方法を説明する。当該方法は、フレーム内センシング（ＩＲＦＳ）情報およびフレーム間センシング（ＩＦＳ）情報を共存マネージャから受信することと、受信情報に基づき、アクセスポイント（ＡＰ）とコンポーネントとの間のアクティブチャネル上の専用アクセスに対してＩＲＦＳ間隔を割り当てることと、受信情報に基づき、複数のＡＰと対応するコンポーネントとの間の複数のチャネル上の競合アクセスに対してＩＦＳ間隔を割り当てることとを含むことができる。
【０００６】
他の実施例に従って、本開示は、別のセカンダリユーザネットワークの沈黙期間に動作可能な共存無線ネットワークアクセスポイントを説明する。アクセスポイントは、無線通信モジュール、命令を格納するように構成されたメモリ、およびメモリに結合されたプロセッサを含むことができる。プロセッサは、フレーム内センシング（ＩＲＦＳ）情報およびフレーム間センシング（ＩＦＳ）情報を共存マネージャから受信することと、一意のアクセス要求パケット（ＡＲＰ）を用いてＩＲＦＳ間隔中にデータ伝送の意図をブロードキャストすることと、ＡＲＰに含まれるタイムスタンプがブロードキャストのタイムスタンプの中で最も早い場合、受信情報に基づき、アクティブチャネル上の専用アクセスを受信してコンポーネントと通信することとを行うことができる。
【０００７】
さらに他の実施例に従って、本開示は、セカンダリユーザネットワークの沈黙期間に動作可能な共存緊急用アドホック無線ネットワークを説明する。当該ネットワークは、セカンダリユーザとしてＴＶホワイトスペースを使用して、少なくとも１つの無線地域ネットワーク（ＷＲＡＮ）の１つまたは複数のコグニティブ基地局によるブロードキャストから、フレーム内センシング（ＩＲＦＳ）情報およびフレーム間センシング（ＩＦＳ）情報を検出するように、かつ、ＩＲＦＳ情報およびＩＦＳ情報を共存緊急用アドホックネットワークの複数のアクセスポイント（ＡＰ）に送信するように適合された共存マネージャを含むことができる。ネットワークは、ＩＲＦＳ情報およびＩＦＳ情報を共存マネージャから受信するように、かつ、一意のアクセス要求パケット（ＡＲＰ）を用いてＩＲＦＳ間隔中にデータ伝送の意図をブロードキャストするように適合された共存緊急用アドホックネットワークのＡＰを含むこともできる。
【０００８】
さらなる実施例に従って、本開示は、セカンダリネットワークにおける沈黙期間管理の方法のための、命令を格納したコンピュータ可読記憶媒体を説明する。命令によって定められる方法は、フレーム内センシング（ＩＲＦＳ）情報およびフレーム間センシング（ＩＦＳ）情報を共存マネージャから受信することと、ＩＲＦＳ間隔中に１つまたは複数のアクセスポイントにおけるそれらのデータ伝送の意図のブロードキャストを検出することと、受信したＩＲＦＳ情報およびＡＰのブロードキャストにおける１つまたは複数のパラメータに基づき、ＡＰとコンポーネントとの間のアクティブチャネル上の専用アクセスに対してＩＲＦＳ間隔を割り当てることとを含むことができる。
【０００９】
上述の発明の概要は例示にすぎず、何ら限定することを意図していない。上記の例示の態様、実施形態および特徴に加えて、さらなる態様、実施形態および特徴は、図面および以下の発明を実施するための形態を参照することにより明らかとなろう。
【００１０】
本開示の以下に記載の特徴およびその他の特徴は、下記の説明および添付の特許請求の範囲を、添付の図面と併せて読めばより十分に明らかになるであろう。これらの図面は本開示によるいくつかの実施形態を示すものにすぎず、したがって、本開示の範囲を限定するものと見なすべきでないことを踏まえ、添付の図面を使用して、本開示をさらに具体的かつ詳細に説明する。
【図面の簡単な説明】
【００１１】
【図１】本明細書に記載される少なくともいくつかの実施形態に従って配置構成された、共存セカンダリ無線ネットワークに使用することができるホワイトスペースの実例を示す図である。
【図２】本明細書に記載される少なくともいくつかの実施形態に従って配置構成された、テレビ（ＴＶ）スペクトルおよび典型的な信号強度における特定の位置に対するホワイトスペースの例を示す図である。
【図３】本明細書に記載される少なくともいくつかの実施形態に従って配置構成された、沈黙期間管理を用いることができる、共存無線サービスプロバイダとアドホックセカンダリ無線ネットワークとを示す図である。
【図４】本明細書に記載される少なくともいくつかの実施形態に従って配置構成された、図３の異なる共存無線サービスプロバイダからのフレーム間センシングスケジュールを示す図である。
【図５】本明細書に記載される少なくともいくつかの実施形態に従って配置構成された、アクセス要求パケットを使用する競合ＩＦＳアクセスおよび専用ＩＲＦＳアクセスを有する無線地域ネットワークとアドホック無線ネットワークとの間の異機種の共存を示す図である。
【図６】本明細書に記載される少なくともいくつかの実施形態に従って配置構成された、ホワイトスペースにおける緊急用アドホックネットワークに対する沈黙期間管理を実装するのに使用可能な汎用コンピューティングデバイスを示す図である。
【図７】本明細書に記載される少なくともいくつかの実施形態に従って配置構成された、ホワイトスペースにおける緊急用アドホックネットワークに対する沈黙期間管理を実装するのに使用可能な専用プロセッサを示す図である。
【図８】本明細書に記載される少なくともいくつかの実施形態に従って配置構成された、図６のデバイス６００などのコンピューティングデバイスまたは図７のプロセッサ７９０などの専用プロセッサによって行うことが可能なホワイトスペースにおける緊急用アドホックネットワークに対する沈黙期間管理を用いるための例示の方法を示すフロー図である。
【図９】本明細書に記載される少なくともいくつかの実施形態に従って配置構成された、コンピュータプログラム製品の例を示すブロック図である。
【発明を実施するための形態】
【００１２】
以下の発明を実施するための形態では、本明細書の一部をなす添付の図面を参照する。図面では、文脈によって別段に指示されない限り、通常、同様の符号は同様のコンポーネントを識別する。発明を実施するための形態、図面および特許請求の範囲において述べる例示的な実施形態は、限定的なものとはされない。本明細書に提示される主題の趣旨または範囲を逸脱することなく、他の実施形態を利用してもよく、他の変更を加えてもよい。本明細書に概説し図に示す本開示の態様を、さまざまな異なる構成で配置、代用、結合、分離および設計することができ、これらがすべて本明細書において明示的に企図されていることは、容易に理解されるであろう。
【００１３】
本開示は、概して、とりわけ、ＴＶホワイトスペースにおける緊急用アドホックネットワークに対する沈黙期間管理に関する方法、装置、システム、デバイス、および／またはコンピュータプログラム製品を対象とする。
【００１４】
簡潔に述べると、極めて接近している複数のアクセスポイント（ＡＰ）は、アドホックネットワーク（例えば、ＩＥＥＥ８０２．１１ａｆ）を形成し、ＴＶホワイトスペースの空きチャネルを感知および検出する代わりに、媒体アクセス制御（ＭＡＣ）パケットにおける定期的なフレーム内センシング（ＩＲＦＳ）情報およびフレーム間センシング（ＩＦＳ）情報をブロードキャストする共存マネージャからのブロードキャストメッセージをリッスンすることができる。ＡＰは、アクティブなコグニティブ基地局の動作チャネルならびにこれらのチャネルにおけるそれらのスケジュールされたＩＲＦＳおよびＩＦＳに関する情報を抽出することが可能である。１つの方式によると、アクティブチャネル上の短いＩＲＦＳ間隔を、緊急用ネットワークＡＰによる一意のアクセス要求パケット（ＡＲＰ）を使用する専用のやり方で割り当てることができる。別の方式によると、コンテンション方式アクセスを、複数のチャネル上のより長いＩＦＳ間隔に対して提供することができる。
【００１５】
図１は、本明細書に記載の少なくともいくつかの実施形態による、共存セカンダリ無線ネットワークに使用することができるホワイトスペースの実例の図である。無線スペクトルとは通常、無線通信に使用可能な３ｋＨｚから３００ＧＨｚまでの全周波数域を指す。スペクトルの大部分へのアクセスは、一般に、正当なユーザに対する干渉といったスペクトルの誤用を回避するために、送信機が従うべき規則および規定を指定する国家的な機関および国際機関によって規制される。スペクトルの一部（例えば、１０８）は、ラジオ／テレビ放送局またはセルラーフォンネットワークなどの「ライセンスされた」ユーザ用に設けられ、この場合、特定の周波数帯域が単一の送信機または一群の送信機の使用のためだけに設けられる。ダイアグラム１００の周波数スペクトル１０２に示されるように、別個の周波数帯域がライセンスされたユーザ用に設けられる。例えば、汎欧州デジタル移動電話方式（ＧＳＭ（登録商標））、汎用パケット無線サービス（ＧＰＲＳ）、符号分割多重アクセス（ＣＤＭＡ）、エボリューションデータオプティマイズド（ＥＶ−ＤＯ）、ＧＳＭ（登録商標）進化型高速データレート（ＥＤＧＥ）、３ＧＳＭ（登録商標）、デジタル携帯電話方式（ＤＥＣＴ）、デジタルＡＭＰＳ（ＩＳ−１３６／ＴＤＭＡ）、およびデジタル統合拡張ネットワーク（ｉＤＥＮ）を含むさまざまなデジタルセルラー技術は、場所（例えば、国による規制）によって異なる周波数帯域を使用することができる。さらに、個々のライセンスされた局用に設けられているテレビ帯域のサブバンドなどのサブバンドを、個々のライセンスされたユーザ用に設けることが可能である。
【００１６】
スペクトルの他の部分（例えば、１０６）は「ライセンスされていない」ユーザ用に設けられており、この場合、個々のエンティティが周波数帯域を独占的に使用することはないが、対応の送信機装置を有する者は誰でもその帯域を利用することが可能である。ライセンスされていない帯域における干渉は、通常、その帯域を使用するデバイスの特性に対する規定によって低減または防止される。
【００１７】
近年の技術の進展は、デジタルテレビ（ＤＴＶ）への移行である。かかる移行により、アナログテレビ放送によってこれまで使用されていたいくつかのスペクトル部分が開放された。効率的な音声および映像圧縮技法の発達はＤＴＶ技術の発達と共に、ＴＶホワイトスペース（ＴＶＷＳ）１１０と言われるＴＶスペクトル（ＶＨＦ帯域およびＵＨＦ帯域）において相当量の未使用のチャネルをもたらした。テレビ局は場所によってさまざまであり、それらの放送時間は１日２４時間未満の場合もあるため、ＴＶホワイトスペースは位置および時間に依存する。ホワイトスペース１０４は周波数スペクトル１０２の他の部分にも存在するが、現在の送信機／受信機技術は、ＴＶＷＳ１１０を共有スペクトル利用に対して特に魅力あるものとしている。
【００１８】
無線通信技術の急増およびかかる技術に対するさらなるスペクトルへの高まり続ける要望に伴い、無線通信の効率を高める試みには、ＲＦスペクトルの既存の専用部分に対するさまざまな共有方式が含まれる。ＴＶホワイトスペースにおいてスペクトルを共有する試みの例には、ＷＲＡＮに対するＩＥＥＥ８０２．２２、アドホックネットワークをもたらすパーソナル／ポータブルデバイスに対するＩＥＥＥ８０２．１１ａｆ、およびＴＶＷＳにおける共存のサポートに対するＩＥＥＥ８０２．１９．１タスクグループ（ＴＧ）の取り組みが含まれる。
【００１９】
図２は、テレビ（ＴＶ）スペクトルおよび典型的な信号強度における特定の位置に対するホワイトスペースの例を示す。ダイアグラム２００は、テレビチャネル番号２１２にわたるＶＨＦ帯域およびＵＨＦ帯域におけるライセンスされたユーザ２１６、およびそれらのそれぞれのｄＢｍの信号レベル２１４を示す。さまざまなライセンスされたユーザに対する信号レベルはまた、規制機関によっても定められ得る。
【００２０】
スペクトル利用のシナリオは、２０１０年３月３日午前１０時５０分のチャネル２から６０にわたるジップコード９８１９５におけるスペクトルのスナップショットである。上述されるように、ライセンスされたユーザによるスペクトルの利用は、位置（ライセンスされた局）および時間（実際に放送している局）によって多様であり得る。例示のスナップショットでは、利用可能なホワイトスペース２２０（ＤＴＶ伝送がない）はチャネル２〜４、１５〜２３および５１〜６９の間にある。
【００２１】
セカンダリ日和見主義的ネットワークは、その帯域のライセンスされたユーザに干渉しない限り、ホワイトスペース２２０を活用することができる。つまり、セカンダリユーザは、いつおよびどの周波数でプライマリユーザがアクティブであるかを判断し、かつ、それらの周波数を回避する必要がある。ＩＥＥＥ８０２．２２は、ＴＶ周波数スペクトルにおけるホワイトスペースを使用する無線地域ネットワーク（ＷＲＡＮ）に対する規格の例である。当該規格は、非干渉ベースで、テレビ放送サービスに割り当てられた地理的に未使用のスペクトルの共有を可能にするために、コグニティブ無線技術を使用することを目的とする。
【００２２】
ホワイトスペースの非干渉セカンダリ使用は、８０２．２２ネットワークに限定されない。ＩＥＥＥ８０２．２２のＷＲＡＮのようないくつかのネットワークはキャリアセンシングを利用しかつ沈黙期間を用いるが、実施形態は、ネットワークオペレーションのオーバーヘッドを増加させる、スペクトルを感知するか沈黙期間を用いることの代わりに、別のセカンダリネットワーク（ＩＥＥＥ８０２．２２のＷＲＡＮなど）からの情報を利用することが可能な他の形式のセカンダリネットワークを対象とする。実施形態を実装することが可能なネットワークの例は、ＩＥＥＥ８０２．１１ａｆの緊急サービスアドホックネットワークである。
【００２３】
図３は、本明細書に記載の少なくともいくつかの実施形態による、沈黙期間管理を用いることができる、共存無線サービスプロバイダおよびアドホックセカンダリ無線ネットワークを示す。ＩＥＥＥ８０２．２２などの規格により、ＴＶＷＳにおける効率的な動作のために、スペクトルセンシング間隔（沈黙期間「ＱＰ」としても知られる）が定められる。沈黙期間は、スペクトルセンシングを効率的に行うために、かつ、ホワイトスペースを検出するために、いくつかのセカンダリネットワークにとって不可欠である。
【００２４】
ＩＥＥＥ８０２．２２規格により、２つのステージ、すなわち、フレーム内センシング（ＩＲＦＳ）と、それに続くフレーム間センシング（ＩＦＳ）において、明確なＱＰが定められる。ＩＲＦＳは短い継続期間のものであり、典型的には数１０ｍｓであるが、ＩＦＳは約１０から約５０ｍｓまでの長い継続期間のものである。この規格に従って、コグニティブ基地局（ＣＢＳ）は、スーパーフレーム内の複数のフレームにわたって、インバンドセンシング（ＣＢＳによって現在使用されているチャネル）に対する複数のＩＲＦＳをスケジュールすることができる。受信されたＩＲＦＳからのチャネル状態（ビジーまたはアイドル）についての累積報告に基づいて、ＣＢＳは、複数の連続したフレームにわたってＩＦＳをスケジュールすることができる。ＩＥＥＥ８０２．２２のネットワーク全体は、ＩＲＦＳおよびＩＦＳ中にデータ伝送を終了する。
【００２５】
ダイアグラム３００は、ＩＥＥＥ８０２．２２などのセカンダリ日和見主義的ネットワークを使用する複数の無線サービスプロバイダ（ＷＳＰ）を示す。各ＷＳＰは、ＣＢＳ（例えば、３４１、３４２、３４３および３４４）および顧客端末（ＣＰＥ）（例えば、３５１から３５７）としても知られるユーザを含む。各ＣＢＳは、単一のチャネル上でそのＣＰＥと通信し（例えば、ＣＰＥ３５５および３５６と通信するＣＰＥ３４３）、かつ、スペクトルセンシングに対するＱＰ（すなわち、ＩＲＦＳおよびＩＦＳ間隔）をスケジュールすることができる。いくつかの動作しているチャネル上での複数のＷＳＰによるＱＰスケジューリングは、複数の長いＩＦＳ継続期間につながり、帯域幅の大幅な損失の原因となり得る。
【００２６】
各ＣＢＳは、スーパーフレーム内の複数のフレーム（例えば、図５のスーパーフレーム５９９のフレーム１から１５）にわたって、インバンドセンシング（ＣＢＳによって現在使用されているチャネル）に対する複数のＩＲＦＳをスケジュールすることができる。受信されたＩＲＦＳからのチャネル状態（ビジーまたはアイドル）についての累積報告に基づいて、ＣＢＳは、複数の連続したフレーム（例えば、図４の参照符号４６２によって示されるスーパーフレーム（Ｎ−１）内のフレーム）にわたってＩＦＳをスケジュールすることができる。
【００２７】
ネットワーク３３０および３３２は、複数のユーザ機器と共にＡＰ３３１および３３３を含む少なくともいくつかの実施形態によるネットワークの例である。緊急用アドホックネットワークの場合、互いに近くにあるＡＰは、ＩＥＥＥ８０２．１１ａｆネットワークなどのアドホックネットワークを形成し、かつ、ＴＶＷＳで動作することができる。ＡＰは、空きチャネルを感知かつ検出する代わりに、ＩＥＥＥ８０２．１９．１の共存ネットワークの共存マネージャ（ＣＭ）からのブロードキャストメッセージをリッスンすることができる。ＡＰ（３３１、３３３）は、アクティブなＣＢＳの動作チャネルならびにこれらのチャネルにおけるそれらのスケジュールされたＩＲＦＳおよびＩＦＳに関する情報をＣＭから抽出することが可能である。ＩＲＦＳおよびＩＦＳアクセスに対して２つの異なる方式を用いることができる。第一に、アクティブチャネル上の短いＩＲＦＳ間隔の専用の割り当てを、緊急用ネットワークＡＰによる一意のアクセス要求パケット（ＡＲＰ）を通して利用することができる。第二に、複数のチャネル上の長いＩＦＳ間隔のコンテンション方式アクセスを、アドホックネットワークによって利用することができる。
【００２８】
このＩＲＦＳ間隔およびＩＦＳ間隔の競合または専用アクセスは、すぐ近くのプライマリユーザの信号に干渉することができないが、これは、これらのＱＰが、セカンダリネットワークによって日和見的に利用されているが、プライマリユーザによって現在占有されていないＴＶＷＳのチャネルにスケジュールされているからだということに、留意すべきである。
【００２９】
図４は、本明細書に記載の少なくともいくつかの実施形態による、図３の異なる共存無線サービスプロバイダからのフレーム間センシングスケジュールを示す。ＣＢＳからの媒体アクセス制御（ＭＡＣ）パケットのスーパーフレーム制御ヘッダ（ＳＣＨ）は、ＩＦＳおよびＩＲＦＳ周期長に対する沈黙期間になるまでの時間（ＴＴＱＰ）および沈黙期間までの継続期間（ＤＱＰ）、ＩＲＦＳ周期オフセット、ＩＲＦＳ周期フレームビットマップならびにＩＲＦＳに対するＩＲＦＳ継続期間などの、ＩＲＦＳ間隔およびＩＦＳ間隔の明確な情報を所有する。ＳＣＨ情報は、（例えば、ＩＥＥＥ８０２．１９．１の共存ネットワークの）集中共存マネージャ（ＣＭ）におけるＷＳＰの動作しているＣＢＳによって更新され得る。ＣＢＳとそれらの対応するＣＰＥとの間のデータ伝送段階の開始前に、ＩＲＦＳ間隔およびＩＦＳ間隔の更新を強制的に行うことができる。次にＣＭは、複数のＩＥＥＥ８０２．１１ａｆのＡＰにＱＰについての定期的な更新をブロードキャストして、ＩＥＥＥ８０２．１１ａｆまたは同様の規格に基づくアドホックネットワークの効率的なデータ伝送を容易にし、かつ、ライセンスされたスペクトル利用全体を向上させることができる。
【００３０】
ダイアグラム４００は、スーパーフレーム内の複数のフレームにわたるＩＦＳ間隔の例を示す。例えば、図３のＷＳＰ１の伝送（４６２）では、ＩＦＳ間隔４６３はスーパーフレームＮ−１内にある。図３のＷＳＰ２の伝送（４６４）では、ＩＦＳ間隔４６５はスーパーフレームＮ内にある。図３のＷＳＰ３の伝送（４６６）では、ＩＦＳ間隔４６７はスーパーフレーム２内にある。最終的に、図３のＷＳＰ４の伝送（４６８）では、ＩＦＳ間隔４６９は再びスーパーフレームＮ−１内にあるが、ＷＳＰ１の伝送と比較すると、異なるフレーム上にある。
【００３１】
図５は、本明細書に記載の少なくともいくつかの実施形態による、アクセス要求パケットを使用する競合ＩＦＳアクセスおよび専用ＩＲＦＳアクセスを有する無線地域ネットワークとアドホック無線ネットワークとの間の異機種の共存を示す。ダイアグラム５００は、ＴＶＷＳのＱＰを用いて、ＣＰＥ５７４および５７６と通信する基地局５７２を示す。実施形態によるアドホックネットワーク５７８、５８０の２つの例は、ＱＰを活用して、ＡＰ５７７、５８３と、各ユーザ５８６、５７９および５８１、５８４との間の通信を容易にすることができる。
【００３２】
上述のように、インターフレームセンシングの詳細は、ＩＥＥＥ８０２．２２規格に従ってスーパーフレーム制御ヘッダ（ＳＣＨ）内で指定される。１２ビットの「沈黙期間までの時間（ＴＴＱＰ）」のフィールドは、このＳＣＨ情報の伝送と、次にスケジュールされたＩＲＦＳの沈黙期間との間のタイムスパンを示す。最上位８ビットは、スーパーフレーム番号を指定し、最下位４ビットは、ＩＲＦＳを開始するフレーム番号を示す。さらに、スケジュールされたＩＦＳの継続期間は、ＳＣＨ内の「沈黙期間までの継続期間（ＤＱＰ）」のフィールドに示される。ＤＱＰ内の情報は、ＴＴＱＰ内に示されたフレームから開始する、スーパーフレーム内のフレーム数について示唆し、それはＩＦＳに使用され得る。同様に、ＩＲＦＳ情報は、ＳＣＨ内の以下のフィールド、すなわち、ＩＲＦＳ周期長、ＩＲＦＳ周期オフセット、ＩＲＦＳ周期フレームビットマップおよびＩＲＦＳ継続期間のフィールドにおいて指定される。ＩＲＦＳ間隔の典型的な値は約５ｍｓであるが、ＩＦＳ継続期間は約２５から約５０ｍｓまで継続する。
【００３３】
ＳＣＨ情報は、ＩＥＥＥ８０２．２２のＣＢＳによって、アドホックＩＥＥＥ８０２．１１ａｆネットワーク内のＡＰと、それらのそれぞれの伝送範囲内で、実施形態によるシステム内の共存マネージャ（ＣＭ）を通して共有することができる。これは、ＩＲＦＳおよびＩＦＳの位置および継続期間がＩＥＥＥ８０２．１１ａｆネットワーク内のＡＰで既知であることを意味する。これらのＱＰ、短いＩＲＦＳ継続期間および長いＩＦＳ継続期間は、競合するＡＰ間のデータ伝送の短いバーストに対して利用可能である。いくつかの実施形態によると、２つの通信パラダイムが、ＱＰ中に提案される。パラダイムのうちの１つは、長いＩＦＳ間隔中の競合アクセスであり、もう１つはＩＲＦＳ間隔中の専用アクセスである。ＩＥＥＥ８０２．２２のユーザ（ＣＰＥおよびＣＢＳ）はＱＰ中のデータ伝送に関与しないので、ＩＥＥＥ８０２．１１ａｆのＡＰの共存はむしろ干渉回避型である。したがって、これらのＱＰは、共存アドホックネットワークに対するマルチメディアまたはストリーミングビデオおよびオーディオアプリケーションなどの、継続期間が短くかつ高いサービス品質（ＱｏＳ）を要求されるアプリケーションを有する緊急サービスネットワークに適している場合がある。
【００３４】
ＩＲＦＳ間隔中、伝送継続期間の短いタイムクリティカルな高品質のアプリケーションを有するそれらのＡＰに対して、専用アクセスを可能とすることができる。インネットワークＷＬＡＮユーザ間の互いの干渉を回避するために、ＡＰは、かかるＩＲＦＳスロットでそれらのデータ伝送の意図をブロードキャストすることを要求される場合がある。ＡＲＰ上のタイムスタンプは、ダイアグラム５００に示される特定のＩＲＦＳ間隔へのアクセスを決定する際に役立つ場合がある。最も早いタイプスタンプを有するユーザ（すなわち、最初に予定されたユーザ）は、各ＩＲＦＳ間隔への専用アクセスを得ることができる。ＡＲＰ５９６は、以下のフレーム構造を有することができる。すなわち、タイムスタンプ（ＴＳ）はＡＲＰ作成の時間を含むことができ、スーパーフレーム番号（ＳＦＮ）は所望のアクセスのチャネルおよびスーパーフレーム番号を指定することができ、フレーム番号（ＦＮ）はＡＲＰのパケットのＳＦＮフィールドにおいて定められるスーパーフレーム内のフレーム番号を指定することができ、アクセス継続期間（ＡＤ）は要求しているＡＰによるアクセスの継続期間についての情報を含むことができる。ＡＤフィールドに基づき、スーパーフレーム内の同じフレーム上の２番目に早いタイムスタンプを有する、要求しているＡＰは、要求されたアクセス継続期間がＩＲＦＳ間隔より短い場合、ＩＲＦＳにアクセスすることができる。ＷＬＡＮユーザ間のコンテンションは、長いＩＦＳ間隔中のみ有効であることができる。かかる間隔へのアクセスは、ＩＥＥＥ８０２．１１  ａ／ｂ／ｇ  ＷＬＡＮ規格で定義されるような、従来の搬送波検知多重アクセス−衝突回避（ＣＳＭＡ−ＣＡ）アプローチによるものであってよい。
【００３５】
ダイアグラム５００のシナリオ例では、フレーム１から１５（５９０）を有するスーパーフレーム５９９が示され、フレーム１および１５はＩＲＦＳ間隔５９２および５９４をそれぞれ有する。ＩＲＦＳ間隔５９４は、ＡＰ５８３と通信するユーザ５８４による専用アクセス５８５に対して使用することができ、スーパーフレームＮ−１のＩＦＳ５９８に対して、ユーザ５８１および５８６によって競合アクセスの試み５８２および５８７がそれぞれ行われる。
【００３６】
図１から図５までの特定の例、コンポーネント、シナリオおよび構成を使用して、実施形態を上述してきたが、それらは、ＴＶホワイトスペースにおける緊急用アドホックネットワークのための沈黙期間管理に使用されるべき一般指針を提供することを目的とする。これらの例は、実施形態における限定を構成せず、本明細書に記載の原理を使用する他のコンポーネント、最大化方式および構成を使用する実装であってよい。さらに、ＩＥＥＥ８０２．２２またはＩＥＥＥ８０２．１１ａｆなどの特定の規格もまた、例示のためのものであり、実施形態に限定を課さない。実施形態によるセカンダリ日和見主義的ネットワークは、本明細書に記載の原理を使用していかなる規格（または独自の方式）にも従うものとすることができる。
【００３７】
図６は、本明細書に記載の少なくともいくつかの実施形態による、ホワイトスペースにおける緊急用アドホックネットワークに対する沈黙期間管理を実装するのに使用可能な汎用コンピューティングデバイスを示す。非常に基本的な構成６０２では、コンピューティングデバイス６００は通常、１つまたは複数のプロセッサ６０４およびシステムメモリ６０６を含むことができる。メモリバス６０８は、プロセッサ６０４とシステムメモリ６０６との間の通信に使用されてよい。
【００３８】
所望の構成によっては、プロセッサ６０４は、マイクロプロセッサ（μＰ）、マイクロコントローラ（μＣ）、デジタル信号プロセッサ（ＤＳＰ）、またはこれらの任意の組合せを含む任意のタイプのものとすることができるが、これらに限定されない。プロセッサ６０４は、レベルキャッシュメモリ６１２などの１つまたは複数のレベルのキャッシング、プロセッサコア６１４およびレジスタ６１６を含むことができる。例示のプロセッサコア６１４は、演算論理ユニット（ＡＬＵ）、浮動小数点ユニット（ＦＰＵ）、デジタル信号処理コア（ＤＳＰコア）、またはこれらの任意の組合せを含むことができる。例示のメモリコントローラ６１８をプロセッサ６０４と共に使用することもでき、またはいくつかの実装形態では、メモリコントローラ６１５は、プロセッサ６０４の内部の部分とすることができる。
【００３９】
所望の構成によっては、システムメモリ６０６は、揮発性メモリ（ＲＡＭなど）、不揮発性メモリ（ＲＯＭやフラッシュメモリなど）、またはこれらの任意の組合せを含むがこれらに限定されない、任意のタイプのものとすることができる。システムメモリ６０６は、オペレーティングシステム６２０、１つまたは複数の通信アプリケーション６２２およびプログラムデータ６２４を含むことができる。通信アプリケーション６２２は、上述されるように、アクセスポイントのラジオ受信機を制御して、セカンダリネットワークによる専用および競合アクセスに対してＴＶホワイトスペースにおけるＩＦＳ期間およびＩＲＦＳ期間を利用するよう配置構成される無線制御モジュール６２６を含むことができる。プログラムデータ６２４は、少なくとも図１から５と併せて上述されるように、１つまたは複数のチャネルデータ６２８（例えば、利用可能なチャネルの周波数など）および同様のデータを含むことができる。このデータは、本明細書に記載されるように、利用可能なＩＦＳ期間およびＩＲＦＳ期間を割り当てるのに役立つ場合がある。いくつかの実施形態では、通信アプリケーション６２２は、本明細書に記載されるように、ＴＶホワイトスペースにおける沈黙期間が緊急用アドホックネットワークに対して管理されるように、オペレーティングシステム６２０上でプログラムデータ６２４と共に動作するように配置構成されてよい。記載されたこの基本構成６０２は、図６において内側の破線内のコンポーネントによって示される。
【００４０】
コンピューティングデバイス６００は、追加の特徴または機能性と、基本構成６０２と任意の必要なデバイスおよびインターフェースとの間の通信を容易にするための追加のインターフェースとを有することができる。例えば、バス／インターフェースコントローラ６３０を使用して、ストレージインターフェースバス６３４を介した基本構成６０２と１つまたは複数のデータ記憶装置６３２との間の通信を容易にすることができる。データストレージデバイス６３２は、取外し式ストレージデバイス６３６、非取外し式ストレージデバイス６３８、またはこれらの組合せとすることができる。取外し式ストレージデバイスおよび非取外し式ストレージデバイスの例は、少数を挙げると、フレキシブルディスクドライブおよびハードディスクドライブ（ＨＤＤ）などの磁気ディスクデバイス、コンパクトディスク（ＣＤ）ドライブまたはデジタル多用途ディスク（ＤＶＤ）ドライブなどの光ディスクドライブ、ソリッドステートドライブ（ＳＳＤ）、ならびにテープドライブを含む。例示のコンピュータ記憶媒体は、コンピュータ可読命令、データ構造、プログラムモジュール、または他のデータなどの情報を記憶するための任意の方法または技術で実装された、揮発性および不揮発性の、取外し可能および取外し不可能な媒体を含むことができる。
【００４１】
システムメモリ６０６、取外し式ストレージデバイス６３６および非取外し式ストレージデバイス６３８は、コンピュータ記憶媒体の例である。コンピュータ記憶媒体は、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光学記憶装置、磁気カセット、磁気テープ、磁気ディスクストレージもしくは他の磁気ストレージデバイス、または、所望の情報を記憶するのに使用でき、かつコンピューティングデバイス６００によってアクセスできる他の任意の媒体を含むが、これらに限定されない。このようなコンピュータ記憶媒体はいずれも、コンピューティングデバイス６００の一部とすることができる。
【００４２】
コンピューティングデバイス６００はまた、バス／インターフェースコントローラ６３０を介したさまざまなインターフェースデバイス（例えば、出力装置６４２、周辺インターフェース６４４および通信装置６６６）から基本構成６０２への通信を容易にするためのインターフェースバス６４０を含むことができる。例示の出力装置６４２は、グラフィック処理ユニット６４８およびオーディオ処理ユニット６５０を含み、これらは、１つまたは複数のＡ／Ｖポート６５２を介して表示装置またはスピーカなどのさまざまな外部デバイスに通信するように構成されてよい。例示の周辺インターフェース６４４は、シリアルインターフェースコントローラ６５４またはパラレルインターフェースコントローラ６５６を含み、これらは、１つまたは複数のＩ／Ｏポート６５８を介して、入力装置（例えば、キーボード、マウス、ペン、音声入力装置、タッチ入力装置など）などの外部デバイス、または他の周辺デバイス（例えば、プリンタ、スキャナなど）と通信するように構成されてよい。例示の通信装置６６６は、ネットワークコントローラ６６０を含み、これは、１つまたは複数の通信ポート６６４を介してネットワーク通信リンクによって１つまたは複数のその他のコンピューティングデバイス６６２との通信を容易にするよう配置構成されてよい。
【００４３】
ネットワーク通信リンクは、通信媒体の一例であることができる。通信媒体は通常、コンピュータ可読命令、データ構造、プログラムモジュール、または搬送波もしくは他の搬送機構などの変調したデータ信号における他のデータによって具体化することができ、任意の情報送達媒体を含むことができる。「変調したデータ信号」は、１つまたは複数のその特性のセットを有するか、信号内の情報を符号化するように変更された信号であってよい。限定ではなく例として、通信媒体は、有線ネットワークまたは直接有線接続などの有線媒体と、音響、無線周波数（ＲＦ）、マイクロ波、赤外線（ＩＲ）および他の無線媒体などの無線媒体とを含むことができる。本明細書において使用されるコンピュータ可読媒体という用語は、記憶媒体と通信媒体の両方を含むことができる。
【００４４】
コンピューティングデバイス６００を、物理サーバ、仮想サーバ、クラウドコンピューティング、または上記の機能のいずれかを含むハイブリッドデバイスの一部として実装することができる。コンピューティングデバイス６００を、ラップトップコンピュータ構成および非ラップトップコンピュータ構成の両方を含むパーソナルコンピュータとして実装することもできる。さらに、コンピューティングデバイス６００を、ネットワーク化システム、または汎用もしくは専用サーバの一部として実装することができる。
【００４５】
コンピューティングデバイス６００を含むネットワーク化システムのネットワークは、サーバ、クライアント、スイッチ、ルータ、モデム、インターネットサービスプロバイダ、および任意の適切な通信媒体（例えば、有線または無線通信手段）の任意のトポロジを備えることができる。実施形態によるシステムは、静的または動的ネットワークトポロジを有することができる。ネットワークは、企業のネットワーク（例えば、ＬＡＮ、ＷＡＮまたはＷＬＡＮ）などのセキュアなネットワーク、無線オープンネットワーク（例えば、ＩＥＥＥ８０２．１１の無線ネットワーク）などのセキュアでないネットワーク、または世界規模のネットワーク（例えば、インターネット）を含んでよい。ネットワークは、共に動作するよう適合される複数の別個のネットワークを備えることもできる。かかるネットワークは、本明細書に記載のノード間における通信を提供するように構成される。限定ではなく例として、これらのネットワークは、音響、ＲＦ、赤外線および他の無線媒体などの無線媒体を含むことができる。さらにネットワークは、同じネットワークまたは別のネットワークの一部であることができる。
【００４６】
図７は、本明細書に記載の少なくともいくつかの実施形態による、ホワイトスペースにおける緊急用アドホックネットワークに対する沈黙期間管理を実装するのに使用可能な専用プロセッサを示す。ダイアグラム７００のプロセッサ７９０は、（１つまたは複数の）ネットワーク７１０−２を介した他の無線デバイス７８０との通信を容易にすることを可能にするラジオ受信機７５０に通信可能に結合されるコンピューティングデバイスの一部であってよく、またはラジオ受信機７５０に組込み可能である。プロセッサ７９０は、（１つまたは複数の）ネットワーク７１０−１を介してチャネル情報を格納するデータソース７７０と通信することもできる。プロセッサ７９０およびラジオ受信機７５０は、セカンダリ日和見主義的ネットワークとしてＴＶホワイトスペースを利用する緊急用アドホックネットワークのアクセスポイントの一部であってよい。
【００４７】
プロセッサ７９０は、無線制御モジュール７９６などのいくつかの処理モジュールを含むことができる。（１つまたは複数の）ネットワーク７１０−１を介してチャネルデータソース７７０から検索されたチャネルデータ７９２は無線制御モジュール７９６に提供されて、走査するチャネルまたは切り換えるチャネルを判断し、かつ、沈黙期間、ＩＦＳ期間およびＩＲＦＳ期間に関連付けられたデータのタイミングをとることができる。無線データ７９４は、ラジオ受信機７５０の動作制御に関連付けられた情報を含むことができる。チャネルデータ７９２および無線データ７９４は、処理中、プロセッサ７９０のキャッシュメモリであることができるメモリ７９１、または外部メモリ（例えば、プロセッサ７９０の外付けメモリ）に格納され得る。プロセッサ７９０を、少なくともデータの一部をラジオ受信機７５０の制御中または制御後に格納することができるデータストア７６０に、通信可能に結合することもできる。
【００４８】
例示の実施形態は方法も含むことができる。これらの方法は、本明細書に記載の構成を含むいくつもある方法で実行可能である。かかる１つの方法は、本開示に記載のタイプのデバイスの機械動作によるものである。自由選択による別の方法は、方法の１つまたは複数の個々の動作を、動作の一部を行う１人または複数人の人間のオペレータと連携して行い、その他の動作を機械によって行うものである。これら人間のオペレータを、互いに一緒に配置する必要はないが、それぞれをプログラムの一部を行う機械とだけ一緒にすることができる。他の実施例では、人間の相互作用を、機械によって自動化される事前選択された基準によってなどで自動化することができる。
【００４９】
図８は、本明細書に記載の少なくともいくつかの実施形態による、図６のデバイス６００などのコンピューティングデバイスまたは図７のプロセッサ７９０などの専用プロセッサによって行うことが可能なホワイトスペースにおける緊急用アドホックネットワークに対する沈黙期間管理を用いるための例示の方法を示すフロー図である。それ故に、コントローラ装置８１０は、図７のプロセッサ７９０または図６のコンピューティングデバイス６００であってよい。コンピュータ可読媒体８２０は、コントローラ装置８１０によって実行される例示の方法に関連付けられた命令を格納することができる。
【００５０】
実施形態による例示の処理は、「ＩＲＦＳ情報およびＩＦＳ情報を受信する」という動作８２２で始めることができ、ここで、図５のＡＰ５８５などのアクセスポイントは、セカンダリネットワークの共存マネージャから、更新されたフレーム内センシング（ＩＲＦＳ）情報およびフレーム間センシング（ＩＦＳ）情報を受信する。
【００５１】
動作８２２の後に、「ＩＲＦＳ間隔を専用アクセス（単一のチャネル）に割り当てる」という動作８２４を行うことができ、ここで、より短いＩＲＦＳ間隔は、アドホック緊急サービスネットワークで受信した情報に基づき、ＡＰとコンポーネントとの間のアクティブチャネル上の専用アクセスに対して割り当てられる。当該割り当てを、共存マネージャによって、またはアドホックネットワークのＡＰ間の同意を通して行うことができる。
【００５２】
動作８２４の後に、「ＩＦＳ間隔を競合アクセス（複数のチャネル）に割り当てる」という動作８２６を行うことができ、ここで、より長いＩＦＳ間隔は、アドホック緊急サービスネットワークで受信した情報に基づき、複数のＡＰと対応するコンポーネントとの間の複数のチャネル上の競合アクセスに対して割り当てられる。当該割り当てを、共存マネージャによって、またはアドホックネットワークのＡＰ間の同意を通して行うことができる。
【００５３】
上記の図８の処理に含まれる動作は例示のためのものである。ホワイトスペースにおける緊急用アドホックネットワークに対する沈黙期間管理を、より少ない動作または追加の動作で同様の処理によって実装することができる。いくつかの実施例では、動作を異なる順序で行うことができる。いくつかの他の実施例では、さまざまな動作を省くことができる。さらに他の実施例では、さまざまな動作を、追加の動作に分割するか、組み合わせてより少ない動作にすることができる。連続的に順序付けられた動作として示されるが、いくつかの実装形態では、さまざまな動作を異なる順序で行うことができ、または、いくつかの場合において、さまざまな動作を実質的に同時に行うことができる。
【００５４】
図９は、本明細書に記載の少なくともいくつかの実施形態に従って配置構成されたコンピュータプログラム製品の例のブロック図を示す。いくつかの実施例では、図９に示されるように、コンピュータプログラム製品９００は、機械可読命令９０４を含むこともできる信号担持媒体９０２を含むことができる。機械可読命令９０４は、例えば、プロセッサによって実行される時、図３から図５に関して上述した機能を提供することができる。それ故に、例えば、プロセッサ７９０を参照すると、図９に示されるタスクの１つまたは複数を、媒体９０２によってプロセッサ７９０に搬送された命令９０４に応答して始めて、本明細書に記載されるＴＶホワイトスペースにおける緊急用アドホックネットワークに対する沈黙期間管理に関連付けられたアクションを行うことができる。それらの命令のいくつかは、前述される１つまたは複数のアルゴリズムを通して、共存マネージャ信号を検出することと、ＩＲＦＳ間隔を専用アクセスに割り当てることと、ＩＦＳ間隔を競合アクセスに割り当てることとを含むことができる。
【００５５】
いくつかの実装形態では、図９に図示された信号担持媒体９０２は、ハードディスクドライブ、コンパクトディスク（ＣＤ）、デジタル多用途ディスク（ＤＶＤ）、デジタルテープ、メモリなどの、しかしこれらに限定されない、コンピュータ可読媒体９０６を包含することができる。いくつかの実装形態では、信号担持媒体９０２は、メモリ、読み書き（Ｒ／Ｗ）ＣＤ、Ｒ／Ｗ  ＤＶＤなどの、しかしこれらに限定されない、記録可能媒体９０８を包含することができる。いくつかの実装形態では、信号担持媒体９０２は、デジタルおよび／またはアナログ通信媒体など（例えば、光ファイバケーブル、導波管、有線通信リンク、無線通信リンクなど）の、しかしこれらに限定されない、通信媒体９１０を包含することができる。それ故に、例えば、コンピュータプログラム製品９００は、ＲＦ信号担持媒体９０２によってプロセッサ９０４へ搬送されてよく、その場合、信号担持媒体９０２は、無線通信媒体９１０（例えば、ＩＥＥＥ８０２．１１規格に準拠する無線通信媒体）によって搬送される。
【００５６】
いくつかの実施例に従って、本開示は、セカンダリネットワークにおける沈黙期間管理のための方法を説明する。当該方法は、フレーム内センシング（ＩＲＦＳ）情報およびフレーム間センシング（ＩＦＳ）情報を共存マネージャから受信することと、受信情報に基づき、アクセスポイント（ＡＰ）とコンポーネントとの間のアクティブチャネル上の専用アクセスに対してＩＲＦＳ間隔を割り当てることと、受信情報に基づき、複数のＡＰと対応するコンポーネントとの間の複数のチャネル上の競合アクセスに対してＩＦＳ間隔を割り当てることとを含むことができる。
【００５７】
他の実施例によると、方法は、ＩＲＦＳ間隔中にデータ伝送の意図を各ＡＰにブロードキャストさせること、および／または、アクセス情報を各ＡＰから対応するコンポーネントへ通信するために一意のアクセス要求パケット（ＡＲＰ）を用いることを、さらに含むことができる。ＡＲＰは、ＡＲＰ作成の時間を示すタイムスタンプ、チャネルを指定するスーパーフレーム番号および所望のアクセスに対するスーパーフレーム番号、スーパーフレーム番号によって定められるスーパーフレーム内のフレームを指定するフレーム番号、ならびに、ブロードキャストしているＡＰによって所望されるアクセスの継続期間を定めるアクセス継続期間のセットから、少なくとも１つを含むことができる。
【００５８】
さらなる実施例によると、方法は、ＩＲＦＳ中、スーパーフレーム内の同じフレーム上の最も早いタイムスタンプを有する要求しているＡＰに対して、利用可能なチャネルへの専用アクセスを可能にすること、および／または、ＡＲＰにおけるアクセス継続期間がＩＲＦＳ間隔より短い場合、ＩＲＦＳ中、スーパーフレーム内の同じフレーム上の２番目に早いタイムスタンプを有する要求しているＡＰに対して、利用可能なチャネルへのアクセスを可能にすることを含むこともできる。チャネルはテレビホワイトスペース内にあってよい。
【００５９】
ＩＲＦＳ情報およびＩＦＳ情報は、無線地域ネットワーク（ＷＲＡＮ）のコグニティブ基地局によるブロードキャストから検出され、かつ、１つまたは複数の共存無線ネットワークにおける複数のＡＰに共存マネージャによって送信されてよい。方法は、利用可能なチャネルを使用する前に、２つ以上のＡＰによってアドホック無線ネットワークを形成することを含むこともできる。アドホック無線ネットワークは、緊急用アドホックネットワークであってよい。方法は、利用可能なチャネルを使用して、マルチメディアデータ、ストリーミングビデオデータおよび／またはストリーミングオーディオデータを送信することをさらに含むことができる。
【００６０】
他の実施例に従って、本開示は、別の無線ネットワークの沈黙期間に動作可能な共存無線ネットワークアクセスポイントを説明する。アクセスポイントは、無線通信モジュール、命令を格納するように構成されたメモリ、およびメモリに結合されたプロセッサを含むことができる。プロセッサは、フレーム内センシング（ＩＲＦＳ）情報およびフレーム間センシング（ＩＦＳ）情報を共存マネージャから受信することと、一意のアクセス要求パケット（ＡＲＰ）を用いてＩＲＦＳ間隔中にデータ伝送の意図をブロードキャストすることと、ＡＲＰに含まれるタイムスタンプがブロードキャストのタイムスタンプの中で最も早い場合、受信情報に基づき、アクティブチャネル上の専用アクセスを受信してコンポーネントと通信することとを行うことができる。
【００６１】
ＡＲＰは、ＡＲＰ作成の時間を示すタイムスタンプ、チャネルを指定するスーパーフレーム番号および所望のアクセスに対するスーパーフレーム番号、スーパーフレーム番号によって定められるスーパーフレーム内のフレームを指定するフレーム番号、ならびに、ブロードキャストしているＡＰによって所望されるアクセスの継続期間を定めるアクセス継続期間のセットから、少なくとも１つを含む。いくつかの実施例によると、プロセッサは、利用可能なチャネルを使用する前に１つもしくは複数のＡＰを有するアドホック無線ネットワークを形成すること、ならびに／または、アクティブチャネルを使用して１つもしくは複数のコンポーネントと、マルチメディアデータ、ストリーミングビデオデータおよび／もしくはストリーミングオーディオデータのうちの１つをやり取りすることも可能である。
【００６２】
さらなる実施例によると、プロセッサは、共存マネージャからＩＲＦＳ情報およびＩＦＳ情報についての定期的な更新を受信することもできる。ＩＲＦＳ情報およびＩＦＳ情報を、セカンダリユーザとしてＴＶホワイトスペースを使用して少なくとも１つの無線地域ネットワーク（ＷＲＡＮ）の１つまたは複数のコグニティブ基地局によるブロードキャストから、共存マネージャによって検出することができる。アクセスポイントは、ＩＥＥＥ８０２．１１ａｆの無線ネットワークの一部であってよい。共存マネージャは、ＩＥＥＥ８０２．１９．１の無線共存ネットワークの一部であってよい。
【００６３】
さらに他の実施例に従って、本開示は、別の共存無線ネットワークの沈黙期間に動作可能な緊急用アドホック無線ネットワークを説明する。当該ネットワークは、セカンダリユーザとしてＴＶホワイトスペースを使用して少なくとも１つの無線地域ネットワーク（ＷＲＡＮ）の１つまたは複数のコグニティブ基地局によるブロードキャストから、フレーム内センシング（ＩＲＦＳ）情報およびフレーム間センシング（ＩＦＳ）情報を検出するように、かつ、ＩＲＦＳ情報およびＩＦＳ情報を共存緊急用アドホックネットワークの複数のアクセスポイント（ＡＰ）に送信するように適合された共存マネージャを含むことができる。ネットワークは、ＩＲＦＳ情報およびＩＦＳ情報を共存マネージャから受信するように、かつ、一意のアクセス要求パケット（ＡＲＰ）を用いてＩＲＦＳ間隔中にデータ伝送の意図をブロードキャストするように適合された共存緊急用アドホックネットワークのＡＰを含むこともできる。
【００６４】
いくつかの実施例によると、共存マネージャは、ＩＲＦＳ情報およびＡＲＰに基づき、アクティブチャネル上の専用アクセスに対するＩＲＦＳ間隔をＡＰに割り当てることと、ＩＦＳ情報およびブロードキャストＡＲＰに基づき、複数のコンポーネント間の複数のチャネル上の競合アクセスに対してＩＦＳ間隔を割り当てることとを行うことができる。ＡＲＰは、ＡＲＰ作成の時間を示すタイムスタンプ、チャネルを指定するスーパーフレーム番号および所望のアクセスに対するスーパーフレーム番号、スーパーフレーム番号によって定められるスーパーフレーム内のフレームを指定するフレーム番号、ならびに、ブロードキャストしているＡＰによって所望されるアクセスの継続期間を定めるアクセス継続期間のセットから、少なくとも１つを含むことができる。
【００６５】
共存マネージャは、ＩＲＦＳ中、ＡＲＰ内のタイムスタンプがスーパーフレーム内の同じフレーム上の最も早いタイムスタンプである場合、ＡＰに対してアクティブチャネルへの専用アクセスを可能にすることもできる。ＩＲＦＳ間隔は約１０ｍｓ未満であってよく、ＩＦＳ間隔は約１０ｍｓと約５０ｍｓとの間であってよい。ＩＲＦＳ情報およびＩＦＳ情報は、沈黙期間になるまでの時間（ＴＴＱＰ）、ＩＦＳ間隔およびＩＲＦＳ間隔に対する沈黙期間までの継続期間（ＤＱＰ）、ＩＲＦＳ周期オフセット、ＩＲＦＳ周期フレームビットマップ、および／または、ＩＲＦＳに対するＩＲＦＳ継続期間のセットから、少なくとも１つを含むことができる。
【００６６】
さらなる実施例に従って、本開示は、セカンダリネットワークにおける沈黙期間管理の方法のための、命令を格納したコンピュータ可読記憶媒体を説明する。命令によって定められる方法は、フレーム内センシング（ＩＲＦＳ）情報およびフレーム間センシング（ＩＦＳ）情報を共存マネージャから受信することと、ＩＲＦＳ間隔中に１つまたは複数のアクセスポイント（ＡＰ）におけるデータ伝送の意図のブロードキャストを検出することと、受信したＩＲＦＳ情報、およびＡＰのブロードキャストにおける１つまたは複数のパラメータに基づき、ＡＰとコンポーネントとの間のアクティブチャネル上の専用アクセスに対してＩＲＦＳ間隔を割り当てることとを含むことができる。
【００６７】
いくつかの実施例では、方法は、受信したＩＦＳ情報に基づき、複数のＡＰと、対応するコンポーネントとの間の複数のチャネル上の競合アクセスに対してＩＦＳ間隔を割り当てることを含むことができる。ＡＰは、ＡＲＰ作成の時間を示すタイムスタンプ、チャネルを指定するスーパーフレーム番号および所望のアクセスに対するスーパーフレーム番号、スーパーフレーム番号によって定められるスーパーフレーム内のフレームを指定するフレーム番号、ならびに、ブロードキャストしているＡＰによって所望されるアクセスの継続期間を定めるアクセス継続期間のセットからの少なくとも１つを含む一意のアクセス要求パケット（ＡＲＰ）を用いて、データ伝送の意図をブロードキャストすることができる。
【００６８】
他の実施例では、方法は、ＩＲＦＳ中、スーパーフレーム内の同じフレーム上の最も早いタイムスタンプを有する要求しているＡＰに対して、アクティブチャネルへの専用アクセスを可能にすること、および／または、ＡＲＰにおけるアクセス継続期間がＩＲＦＳ間隔より短い場合、ＩＲＦＳ中、スーパーフレーム内の同じフレーム上の２番目に早いタイムスタンプを有する要求しているＡＰに対してアクティブチャネルへのアクセスを可能にすることを含むこともできる。チャネルはテレビホワイトスペース内にあってよく、ＩＲＦＳ情報およびＩＦＳ情報は、無線地域ネットワーク（ＷＲＡＮ）のコグニティブ基地局によるブロードキャストから検出されてよい。２つ以上のＡＰは、利用可能なチャネル上で、マルチメディアデータ、ストリーミングビデオデータおよび／またはストリーミングオーディオデータのうちの１つをやり取りするためのアドホック緊急用無線ネットワークを形成することができる。方法は、ＡＰに対するＩＲＦＳ情報およびＩＦＳ情報についての定期的な更新をブロードキャストすることをさらに含むことができる。多重アクセス衝突回避を用いて、割り当てられたＩＦＳ間隔におけるアクティブチャネルへのアクセスを、競合するコンポーネントに提供することができる。
【００６９】
システムの側面でのハードウェアの実装形態とソフトウェアの実装形態との間には、ほとんど相違が残されていない。ハードウェアまたはソフトウェアの使用は、一般に（いつもそうではないが、ある状況ではハードウェアとソフトウェアの間の選択が重要になり得るという点で）コスト対効果のトレードオフを表す設計上の選択である。本明細書に記載された、プロセスおよび／またはシステムおよび／または他の技術をもたらすことができるさまざまな達成手段があり（例えば、ハードウェア、ソフトウェア、および／またはファームウェア）、好ましい達成手段は、プロセスおよび／またはシステムおよび／または他の技術が導入される状況によって異なる。例えば、実装者が速度と正確性が最も重要であると決定すると、実装者は主にハードウェアおよび／またはファームウェアの達成手段を選択することができる。フレキシビリティが最も重要なら、実装者は主にソフトウェアの実装形態を選択することができる。または、さらに別の代替案として、実装者は、ハードウェア、ソフトウェア、および／またはファームウェアの何らかの組合せを選択することができる。
【００７０】
前述の詳細な説明では、ブロック図、フローチャート、および／または例の使用によって、装置および／またはプロセスのさまざまな実施形態を説明してきた。そのようなブロック図、フローチャート、および／または例が１つまたは複数の機能および／または動作を含む限りにおいて、そのようなブロック図、フローチャート、または例の中のそれぞれの機能および／または動作は、広範囲のハードウェア、ソフトウェア、ファームウェア、または実質上それらのすべての組合せにより、個別におよび／または集合的に実装可能であることが、当業者には理解されるであろう。ある実施形態では、本明細書に記載された主題のいくつかの部分は、特定用途向け集積回路（ＡＳＩＣ）、フィールドプログラマブルゲートアレイ（ＦＰＧＡ）、デジタルシグナルプロセッサ（ＤＳＰ）、または他の集積化方式によって実装することができる。しかし、本明細書で開示された実施形態のいくつかの態様が、全体においてまたは一部において、１つまたは複数のコンピュータ上で動作する１つまたは複数のコンピュータプログラムとして（例えば、１つまたは複数のコンピュータシステム上で動作する１つまたは複数のプログラムとして）、１つまたは複数のプロセッサ上で動作する１つまたは複数のプログラムとして（例えば、１つまたは複数のマイクロプロセッサ上で動作する１つまたは複数のプログラムとして）、ファームウェアとして、あるいは実質上それらの任意の組合せとして、等価に集積回路に実装することができることを、当業者は認識するであろうし、電気回路の設計ならびに／またはソフトウェアおよび／もしくはファームウェアのコーディングが、本開示に照らして十分当業者の技能の範囲内であることを、当業者は認識するであろう。
【００７１】
本開示は、さまざまな態様の例示として意図される本出願に記載の特定の実施形態に関して限定されるものではない。当業者には明らかであるように、本開示の趣旨および範囲を逸脱することなく、多くの改変および変形を加えることができる。本明細書に記載されているもの以外の、本開示の範囲内の機能的に等価な方法および装置が、以上の説明から当業者には明らかになるであろう。そのような改変および変形は、添付の特許請求の範囲の範囲内に含まれるものと意図されている。本開示は、添付の特許請求の範囲の各用語と、かかる特許請求の範囲が権利付与される対象となる全範囲の等価物とによってのみ限定されるべきである。本開示は、特定の方法、システム、またはコンポーネントに限定されず、当然ながら多様であり得ることを理解すべきである。また、本明細書において使用される専門用語は特定の実施形態を説明するためのものにすぎず、限定的であることが意図されていないことも理解すべきである。
【００７２】
さらに、本明細書に記載された主題のメカニズムをさまざまな形式のプログラム製品として配布することができることを、当業者は理解するであろうし、本明細書に記載された主題の例示的な実施形態が、実際に配布を実行するために使用される信号伝達媒体の特定のタイプにかかわらず適用されることを、当業者は理解するであろう。信号伝達媒体の例には、フロッピー（登録商標）ディスク、ハードディスクドライブ、コンパクトディスク（ＣＤ）、デジタル多用途ディスク（ＤＶＤ）、デジタルテープ、コンピュータメモリ、などの記録可能なタイプの媒体、ならびに、デジタル通信媒体および／またはアナログ通信媒体（例えば、光ファイバケーブル、導波管、有線通信リンク、無線通信リンクなど）の通信タイプの媒体が含まれるが、それらには限定されない。
【００７３】
本明細書で説明したやり方で装置および／またはプロセスを記載し、その後そのように記載された装置および／またはプロセスを、データ処理システムに統合するためにエンジニアリング方式を使用することは、当技術分野で一般的であることを当業者は認識するであろう。すなわち、本明細書に記載された装置および／またはプロセスの少なくとも一部を、妥当な数の実験によってデータ処理システムに統合することができる。通常のデータ処理システムは、一般に、システムユニットハウジング、ビデオディスプレイ装置、揮発性メモリおよび不揮発性メモリなどのメモリ、マイクロプロセッサおよびデジタル信号プロセッサなどのプロセッサ、オペレーティングシステムなどの計算実体、ドライバ、グラフィカルユーザインターフェース、およびアプリケーションプログラムのうちの１つもしくは複数、タッチパッドもしくはスクリーンなどの１つもしくは複数の相互作用装置、ならびに／またはフィードバックループを含むコントロールシステムを含むことを、当業者は理解するであろう。
【００７４】
通常のデータ処理システムは、データコンピューティング／通信システムおよび／またはネットワークコンピューティング／通信システムの中に通常見られるコンポーネントなどの、市販の適切なコンポーネントを利用して実装することができる。本明細書に記載された主題は、さまざまなコンポーネントをしばしば例示しており、これらのコンポーネントは、他のさまざまなコンポーネントに包含されるか、または他のさまざまなコンポーネントに接続される。そのように図示されたアーキテクチャは、単に例示にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的に接続可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００７５】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００７６】
通常、本明細書において、特に添付の特許請求の範囲（例えば、添付の特許請求の範囲の本体部）において使用される用語は、全体を通じて「オープンな（ｏｐｅｎ）」用語として意図されていることが、当業者には理解されよう（例えば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。例えば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（例えば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（例えば、他の修飾語なしでの「２つの記載（ｔｗｏ  ｒｅｃｉｔａｔｉｏｎｓ）」の単なる記載は、少なくとも２つの記載、または２つ以上の記載を意味する）。
【００７７】
さらに、「Ａ、ＢおよびＣ、などの少なくとも１つ」に類似の慣例表現が使用されている事例では、通常、そのような構文は、当業者がその慣例表現を理解するであろう意味で意図されている（例えば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。例えば、句「ＡまたはＢ」は、「Ａ」または「Ｂ」あるいは「ＡおよびＢ」の可能性を含むことが理解されよう。
【００７８】
加えて、本開示の特徴または態様がマーカッシュグループとして記載される場合、本開示が、それによって、マーカッシュグループの任意の個々のメンバまたはメンバのサブグループとしても記載されるものであることも当業者は認識するであろう。
【００７９】
当業者には理解されるように、ありとあらゆる目的で、例えば書面による説明を提供することに関して、本明細書において開示されるあらゆる範囲は、そのありとあらゆる可能な下位範囲およびその下位範囲の組合せも包含するものである。あらゆる記載範囲は、その同じ範囲が、少なくとも２等分、３等分、４等分、５等分、１０等分などに分割されることを十分に説明し、可能にするものとして容易に認識され得るものである。非限定的な例を挙げると、本明細書で論じる各範囲は、下３分の１、中３分の１および上３分の１などに容易に分割することができる。またやはり当業者には理解されるように、「最大〜まで（ｕｐ  ｔｏ）」、「少なくとも（ａｔ  ｌｅａｓｔ）」、「〜より大きい（ｇｒｅａｔｅｒ  ｔｈａｎ）」、「〜より小さい（ｌｅｓｓ  ｔｈａｎ）」などといったすべての用語は、記載される数を含み、後に前述の下位範囲に分割され得る範囲を指し示すものである。最後に、当業者には理解されるように、範囲は個々の各メンバを含む。よって例えば、１〜３個のセルを有するグループは、１個、２個、または３個のセルを有するグループを指す。同様に、１〜５個のセルを有するグループは、１個、２個、３個、４個または５個のセルを有するグループを指し、以下同様である。
【００８０】
本明細書ではさまざまな態様および実施形態が開示されているが、当業者には他の態様および実施形態も明らかとなろう。本明細書に開示されるさまざまな態様および実施形態は例示のためのものであり、限定を意図するものではなく、その真の範囲および趣旨は添付の特許請求の範囲によって指示される。
【要約】
概して、セカンダリ日和見主義的ネットワークにおける沈黙期間管理に関する技術を記載する。極めて接近している複数のアクセスポイント（ＡＰ）は、アドホックネットワーク（例えば、ＩＥＥＥ８０２．１１ａｆ）を形成し、ＴＶホワイトスペースの空きチャネルを感知および検出する代わりに、媒体アクセス制御（ＭＡＣ）パケットにおける定期的なフレーム内センシング（ＩＲＦＳ）情報およびフレーム間センシング（ＩＦＳ）情報をブロードキャストする共存マネージャからのブロードキャストメッセージをリッスンすることができる。ＡＰは、アクティブなコグニティブ基地局の動作チャネルならびにこれらのチャネルにおけるそれらのスケジュールされたＩＲＦＳおよびＩＦＳに関する情報を抽出することが可能である。１つの方式によると、アクティブチャネル上の短いＩＲＦＳ間隔を、緊急用ネットワークＡＰによる一意のアクセス要求パケット（ＡＲＰ）を使用する専用のやり方で割り当てることができる。別の方式によると、コンテンション方式アクセスを、複数のチャネル上のより長いＩＦＳ間隔に対して提供することができる。【図１】
0005487366.tif 000002
【図２】
0005487366.tif 000003
【図３】
0005487366.tif 000004
【図４】
0005487366.tif 000005
【図５】
0005487366.tif 000006
【図６】
0005487366.tif 000007
【図７】
0005487366.tif 000008
【図８】
0005487366.tif 000009
【図９】
0005487366.tif 000010